(57)【要約】      （修正有）【課題】ダクトを開閉するダンパ装置にヒータを取り付けても、漏電やショートの発生を防止できる冷蔵庫を提供する。【解決手段】ダクトを開閉するダンパ装置２７とを備えた冷蔵庫において、ダンパ装置２７は、ダクトを空気の流れ方向に仕切り内方に開口部７８が設けられたフレーム７１と、ケース７５とケース７５内に収納されたモータ７６とを有する駆動機構７２と、駆動機構７２により回動される回動軸７７と、回動軸７７に取り付けられ、回動軸７７の回動により開口部７８を開閉するバッフル板７３と、フレーム７１に取り付けられフレーム７１を加熱する発熱部８０と、発熱部８０に電源を供給する電源ライン８３が接続される端子部８６とを有するヒータ７４とを備え、発熱部８０が取り付けられたフレーム７１の最下端より上方に端子部８６が位置する。【選択図】図４
2014047958.tif 000002
【特許請求の範囲】
【請求項１】
貯蔵室と、空気を冷却する冷却器と、前記冷却器が収納された冷却器室と、前記貯蔵室と前記冷却器室とを連結するダクトと、前記ダクトを開閉するダンパ装置とを備えた冷蔵庫において、
前記ダンパ装置は、
前記ダクトを空気の流れ方向に仕切り内方に開口部が設けられたフレームと、ケースと前記ケース内に収納されたモータとを有する駆動機構と、
前記駆動機構により回動される回動軸と、
前記回動軸に取り付けられ、前記回動軸の回動により前記フレームに設けられた前記開口部を開閉するバッフル板と、
前記フレームに取り付けられ前記フレームを加熱する発熱部と、前記発熱部に電源を供給する電源ラインが接続される端子部とを有するヒータと
を備え、
前記発熱部が取り付けられた前記フレームの最下端より上方に前記端子部が位置することを特徴とする冷蔵庫。
【請求項２】
前記端子部と前記電源ラインとの接続部分が樹脂材料からなる樹脂部で被覆されていることを特徴とする請求項１に記載の冷蔵庫
【請求項３】
前記発熱部は、第１発熱部と前記第１発熱部より発熱量の大きい第２発熱部とを備え、前記第２発熱部が前記第１発熱部より前記端子部に近い位置に配置されていることを特徴とする請求項１又は２に記載の冷蔵庫。
【請求項４】
前記フレームは、前記バッフル板より前記回動軸の軸方向一端側に前記端子部を配置する幅広部を備えることを特徴とする請求項１〜３のいずれか１項に記載の冷蔵庫。
【請求項５】
前記端子部は、前記フレームの開口部を開放する前記バッフル板の回動方向に前記フレームから突出していることを特徴とする請求項１〜４のいずれか１項に記載の冷蔵庫。
【請求項６】
前記電源ラインを固定する固定部を備えることを特徴とする請求項１〜５のいずれか１項に記載の冷蔵庫。
【請求項７】
前記フレームは、前記発熱部が取り付けられた取付面に貫通孔が設けられていることを特徴とする請求項１〜６のいずれか１項に記載の冷蔵庫。
【請求項８】
前記フレームは、前記発熱部が取り付けられた取付面が、水平面に対して傾斜していることを特徴とする請求項１〜７のいずれか１項に記載の冷蔵庫。
【請求項９】
前記バッフル板は、前記回動軸の軸方向に垂直な方向の一端部に前記回動軸が取り付けられ、
前記発熱部は、前記バッフル板の周囲に設けられ、前記回動軸の取付側に比べて前記回動軸の反取付側の発熱量が大きいことを特徴とする請求項１〜８のいずれか１項に記載の冷蔵庫。
【発明の詳細な説明】
【技術分野】
【０００１】
本発明の実施形態は、冷蔵庫に関する。
【背景技術】
【０００２】
従来、冷却器が収納された冷却器室と貯蔵室とを連結するダクト内に、ダクトを開閉するダンパ装置を設けた冷蔵庫が知られている（例えば、下記特許文献１、２参照）。
【０００３】
このような冷蔵庫では、ダンパ装置が冷気の流路に設けられているため、ダンパ装置に結露が生じ、その結露水が凍結してダンパ装置の動作を妨げるおそれがあることから、ヒータを取り付けてダンパ装置の凍結を防止している。
【先行技術文献】
【特許文献】
【０００４】
【特許文献１】特開２００８−７００５２号
【特許文献２】特開平１０−８９８３３号
【発明の概要】
【発明が解決しようとする課題】
【０００５】
しかしながら、上記のようにダンパ装置にヒータを取り付けた場合、ヒータの熱によってダンパ装置に付着した霜が融解して発生した水が、電源を供給する電源ラインとヒータの端子部との接続部分に溜まり、漏電やショートを起こすおそれがある。
【０００６】
そこで、貯蔵室と冷却器室とを連結するダクトを開閉するダンパ装置にヒータを取り付けても、漏電やショートの発生を防止することができる冷蔵庫を提供することを目的とする。
【課題を解決するための手段】
【０００７】
実施形態に係る冷蔵庫は、貯蔵室と、空気を冷却する冷却器と、前記冷却器が収納された冷却器室と、前記貯蔵室と前記冷却器室とを連結するダクトと、前記ダクトを開閉するダンパ装置とを備えた冷蔵庫において、前記ダンパ装置は、前記ダクトを空気の流れ方向に仕切り内方に開口部が設けられたフレームと、ケースと前記ケース内に収納されたモータとを有する駆動機構と、前記駆動機構により回動される回動軸と、前記回動軸に取り付けられ、前記回動軸の回動により前記フレームに設けられた前記開口部を開閉するバッフル板と、前記フレームに取り付けられ前記フレームを加熱する発熱部と、前記発熱部に電源を供給する電源ラインが接続される端子部とを有するヒータとを備え、前記発熱部が取り付けられた前記フレームの最下端より上方に前記端子部が位置することを特徴とする。
【図面の簡単な説明】
【０００８】
【図１】第１実施形態に係る冷蔵庫の断面図である。
【図２】冷凍サイクルを示す図である。
【図３】開口部を閉塞した状態を示す冷蔵ダンパ装置の斜視図である。
【図４】開口部を開放した状態を示す冷蔵ダンパ装置の斜視図である。
【図５】冷蔵ダンパ装置の平面図である。
【図６】図５のＡ−Ａ断面図である。
【図７】図１の要部拡大断面図である。
【図８】第２実施形態に係る冷蔵庫のバッフル板を省略した冷蔵ダンパ装置の平面図である。
【図９】図８のＢ−Ｂ断面図である。
【図１０】第３実施形態に係る冷蔵庫のバッフル板を省略した冷蔵ダンパ装置の平面図である。
【発明を実施するための形態】
【０００９】
（第１実施形態）
以下、図面に基づき本発明の第１実施形態について説明する。
【００１０】
本実施形態に係る冷蔵庫１０は、図１に示すように、外郭を形成する外箱と貯蔵空間を形成する内箱との間に発泡断熱材を充填した断熱箱体からなる冷蔵庫本体１１を備え、貯蔵空間を断熱仕切壁１２によって上方の冷蔵空間２０と下方の冷凍空間４０とに区画している。
【００１１】
冷蔵空間２０は、冷蔵温度（例えば、２〜３℃）に冷却される空間であって、内部がさらに仕切板２１によって上下に区画され、上部空間に複数段の載置棚を設けた冷蔵室２２が設けられ、下部空間に引き出し式の収納容器２５を配置する野菜室２４が設けられている。
【００１２】
野菜室２４の下方に配置した冷凍空間４０は、冷凍温度（例えば、−１８℃以下）に冷却される空間であって、比較的小容積の自動製氷機を備えた製氷室と小型冷凍室４４とが左右に併設され、その下方に冷凍室４６が設けられている。
【００１３】
冷蔵室２２の開口部は、冷蔵庫本体１１の一側部の上下に設けられたヒンジにより回動自在に枢支された冷蔵室扉２２ａにより閉塞されている。
【００１４】
野菜室２４、製氷室、小型冷凍室４４および冷凍室４６の開口部は、引き出し式扉２４ａ，４４ａ，４６ａにより閉塞されている。各引き出し式扉２４ａ，４４ａ，４６ａの裏面側に固着した左右一対の支持枠には、収納容器２５，４５，４７が保持されており、開扉動作とともに庫外に引き出されるように構成されている。
【００１５】
冷凍空間４０の背部には、図２に示す冷凍サイクル５０の一部を構成する冷却器５３と、冷却器５３で冷却された空気を冷蔵空間２０及び冷凍空間４０に送風する冷却器ファン５８とを収納する冷却器室６１が配設されている。
【００１６】
冷凍サイクル５０は、高温高圧の冷媒ガスを吐出する圧縮機５６と、該圧縮機５６から吐出される冷媒ガスを受けて放熱液化する凝縮器５５と、該凝縮器５５の出口側に設けられて冷媒流路を開閉する開閉弁５９と、凝縮器５５からの冷媒を減圧するキャピラリーチューブ５２と、キャピラリーチューブ５２の下流側に接続され冷却器５３とを配管接続して構成される。圧縮機５６から吐出された冷媒は、凝縮器５５、開閉弁５９、キャピラリーチューブ５２を介して冷却器５３に供給され、これにより、冷却器５３が低温下する。
【００１７】
冷却器室６１は、冷蔵ダンパ装置２７が設けられた冷蔵ダクト２６によって冷蔵空間２０と接続されるとともに、冷凍ダンパ装置４９が設けられた冷凍ダクト４８によって冷凍空間４０と接続されている。
【００１８】
冷蔵庫本体１１の背面下部には、冷凍サイクル５０の一部を構成する圧縮機５６及び凝縮器５５を収納する機械室６０が配設されており、機械室６０の背面上部に制御部６２が設けられている。
【００１９】
そして、冷蔵庫１０は、制御部６２が、圧縮機５６、冷却器ファン５８、開閉弁５９、冷蔵ダンパ装置２７及び冷凍ダンパ装置４９を制御することで、冷却器５３で冷却された空気を冷蔵ダクト２６を介して冷蔵空間２０に送風して冷蔵空間２０内を冷却する冷蔵冷却運転と、冷却器５３で冷却された空気を冷凍ダクト４８を介して冷凍空間４０に送風して冷凍空間４０内を冷却する冷凍冷却運転とを切り替えて実行する。
【００２０】
冷蔵ダンパ装置２７は、図１に示すように、空気の流れ方向（本実施形態では上下方向）に冷蔵ダクト２６をフレーム７１によって仕切るとともに、駆動機構７２がバッフル板７３を回動させることで冷蔵ダクト２６を開閉するダンパ装置である。この冷蔵ダンパ装置２７は、図３〜図６に示すように、フレーム７１と、駆動機構７２と、バッフル板７３と、ヒータ７４とを一体にユニット化して構成されている。
【００２１】
なお、冷凍ダンパ装置４９は、図１及び図７に示すように、フレーム７１が冷凍ダクト４８を前後方向に仕切るように配設され、冷蔵庫本体１１に対して取り付ける向きが冷蔵ダンパ装置２７と異なっているが、ダンパ装置の構造は冷蔵ダンパ装置２７と同一であるため、ここでは、冷蔵ダンパ装置２７の構成について説明し、冷凍ダンパ装置４９の構成の詳細な説明を省略する。
【００２２】
駆動機構７２は、ＡＢＳ樹脂等の合成樹脂からなる矩形箱状のケース７５内に、モータ７６及び不図示のギヤ機構を配設して構成されている。ケース７５は、冷蔵ダクト２６に対向する一側面７５ａから冷蔵ダクト２６に向けて水平に突出する回動軸７７が設けられている。この回動軸７７は、制御部６２がモータ７６を通電制御することにより回動する。
【００２３】
フレーム７１は、ケース７５の一側面７５ａから冷蔵ダクト２６へ向けて延び冷蔵ダクト２６を上下方向に仕切るように配設されている。フレーム７１は、中央部（内方）に開口部７８を有する矩形枠状をなしており、周縁部から上方へ立ち上がる壁部７９が設けられている。
【００２４】
バッフル板７３は、フレーム７１やケース７５と同種の合成樹脂からなり、フレーム７１に設けられた開口部７８を覆う大きさ形成されている。バッフル板７３は、回動軸７７の軸方向Ｌに対して垂直な方向Ｍの一端部においてケース７５から突出する回動軸７７に連結されており、開口部７８を閉塞する状態から回動軸７７が回動すると、バッフル板７３の先端が上方へ向けて移動してフレーム７１の開口部７８を開放する。
【００２５】
バッフル板７３は、フレーム７１の開口部７８との対向面に、開口部７８を閉塞したときに、開口部７８の周囲部に密着するシール部材８１が接着により固定されている。シール部材８１は、独立気泡を有する軟質材料、例えば発泡ポリエチレンから構成されている。
【００２６】
そして、フレーム７１は、ケース７５や壁部７９と、開口部７８を閉塞するバッフル板７３との間に、ヒータ７４を取り付ける取付面８０が形成されている。この取付面８０は、バッフル板７３より回動軸７７の軸方向一端側Ｌ１の領域（本実施形態ではケース７５の一側面７５ａとバッフル板７３とで挟まれた領域）が、他の領域（壁部７９とバッフル板７３とで挟まれた領域）より幅広の幅広部８０ａをなしている。
【００２７】
なお、ヒータ７４を取り付ける取付面８０に１又は複数のフレーム７１を貫通する貫通孔８８を設けてもよい。この貫通孔８８によりフレーム７１の上面に溜まった結露水を下方へ排出することができる。
【００２８】
ヒータ７４は、フレーム７１の取付面８０に取り付けられフレーム７４を加熱する発熱部８２と、発熱部８２に一体に設けられ電源ライン８３が接続される一対の端子部８６を備え、一対の端子部８６が、フレーム７１の取付面８０の幅広部８０ａに配置され、発熱部８２が開口部７８を閉塞するバッフル板７３を取り囲み一対の端子部８６を連結するように取付面８０に配置されている。
【００２９】
発熱部８２は、例えば、薄板にコードヒータを貼り付けた面ヒータからなり、電源ライン８３及び端子部８６を介して制御部６２から電源が供給される。
【００３０】
発熱部８２は、第１発熱部８２ａと、第１発熱部８２ａよりコードヒータが密に設けられ発熱量の大きい第２発熱部８２ｂとを備える。第２発熱部８２ｂは、フレーム７１の取付面８０の幅広部８０ａに設けられ端子部８６の近傍に配設されており、幅広部８０ａ以外の取付面８０に設けられた第１発熱部８２ａより端子部８６に近い位置に配置されている。
【００３１】
一対の端子部８６は、取付面８０からフレーム７１の開口部７８を開放する際にバッフル板７３が回動する方向（本実施形態では取付面８０から上方）へ突出する柱状をなしており、その先端部に電源ライン８３が接続されている。これにより、端子部８６は、発熱部８２が取り付けられたフレーム７１より上方に配置されている。
【００３２】
端子部８６と電源ライン８３との接続部分は、絶縁性の合成樹脂からなる樹脂部８５で被覆されている。端子部８６に接続された電源ライン８３は、駆動機構７２のケース７５に設けられた固定部８７によってケース７５に固定されている。
【００３３】
なお、端子部８６が発熱部８２を取り付けたフレーム７１全体より上方に位置する場合について説明したが、端子部８６は、フレーム７１の全体より上方に位置する必要はなく、図７の示す冷凍ダンパ装置４９のように、フレーム７１の最下端７１ａより上方に位置すればよい。
【００３４】
以上のように本実施形態では、ヒータ７４において電源ライン８３と接続される端子部８６が、発熱部８２が取り付けられたフレーム７１の最下端より上方に位置しているため、ヒータ７４の熱によって冷蔵ダンパ装置２７に付着した霜が融解して発生した結露水が、電源ライン８３を接続する端子部８６に溜まるおそれがなく、漏電やショートの発生を防止することができる。
【００３５】
本実施形態では、端子部８６と電源ライン８３との接続部分が絶縁性の樹脂部８５で被覆されているため、当該接続部分に着霜しても漏電やショートの発生を防止することができる。
【００３６】
本実施形態では、第１発熱部８２ａより発熱量の大きい第２発熱部８２ｂが、第１発熱部８２ａより端子部８６に近い位置に配置されており、端子部８６が加熱されやすいため、端子部８６への着霜を防止することができ、漏電やショートの発生を防止することができる。
【００３７】
本実施形態においてフレーム７１の取付面８０は、バッフル板７３より回動軸７７の軸方向一端側Ｌ１の領域が他の領域より幅広の幅広部８０ａをなしており、当該幅広部８０ａにヒータ７４の端子部８６が配設されているため、ヒータ７４をフレーム７１に配設しやすく、組立作業性に優れる。
【００３８】
また、端子部８６は、取付面８０からフレーム７１の開口部７８を開放する際にバッフル板７３が回動する方向へ突出しているため、端子部８６を突出させてもバッフル板７３の回動軌跡内に収めることができダンパ装置を小型化することができる。
【００３９】
本実施形態では、端子部８６に接続された電源ライン８３が、駆動機構７２のケース７５に設けられた固定部８７によってケース７５に固定されているため、回動するバッフル板７３に挟み込まれることがない。
【００４０】
（第２実施形態）
次に、第２実施形態について、図８及び図９を参照して説明する。
【００４１】
本実施形態は、ヒータ７４の発熱部８２を取り付ける取付面８０が水平面に対して傾斜している点で上記した第１実施形態と相違する。
【００４２】
詳細には、取付面８０は、回動軸７７の軸方向Ｌに対して垂直な方向Ｍの中央部が高く、中央部から側方へ向かうほど低くなるように傾斜しており、取付面８０のうち端子部８６の近傍が高く壁部７９へ向かって低くなっている。このような場合、フレーム７１に溜まった結露水を端子部８６から離れた位置へ速やかに移動させることができ、漏電やショートの発生を防止することができる。
【００４３】
また、本実施形態において、壁部７９近傍の最も低い位置にフレーム７１を貫通する貫通孔８８を設け、結露水をフレーム７１の下方へ排出してもよい。
【００４４】
なお、上記した構成以外は第１の実施形態と同様であり、詳細な説明は省略する。
【００４５】
（第３実施形態）
次に、第３実施形態について、図１０を参照して説明する。
【００４６】
本実施形態は、フレーム７１に設けられたヒータ７４の発熱部８２が、上記した第１実施形態と異なっている。
【００４７】
すなわち、本実施形態の発熱部８２は、バッフル板７３を取り囲むようにフレーム７１に設けられており、バッフル板７３において回動軸７７が取り付けられた取付側７３ａに近接する発熱部８２ｃに比べて、取付側７３ａに対向する反取付側７３ｂに近接する発熱部８２ｄにおいてコードヒータが密に設けられ発熱量が大きく設定されている。
【００４８】
このような本実施形態では、バッフル板７３を回動させる回動軸７７から離れた位置にある発熱部８２ｄの発熱量を大きく設定されているため、バッフル板７３とフレーム７１とが凍結により固着してダンパ装置の動作を妨げるのを防止することができる。
【００４９】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５０】
１０…冷蔵庫      ２０…冷蔵空間      ２２…冷蔵室
２４…野菜室      ２６…冷蔵ダクト      ２７…冷蔵ダンパ装置
４０…冷凍空間      ４８…冷凍ダクト      ４９…冷凍ダンパ装置
５０…冷凍サイクル      ５３…冷却器      ６１…冷却器室
６２…制御部      ７１…フレーム      ７１ａ…フレームの最下端
７２…駆動機構      ７３…バッフル板      ７３ａ…取付側
７３ｂ…反取付側      ７４…ヒータ      ７４…フレーム
７５…ケース      ７６…モータ      ７７…回動軸
７８…開口部      ７９…壁部      ８０…取付面
８０ａ…幅広部      ８１…シール部材      ８２…発熱部
８２ａ…第１発熱部      ８２ｂ…第２発熱部      ８２ｃ…発熱部
８２ｄ…発熱部      ８３…電源ライン      ８５…樹脂部
８６…端子部      ８７…固定部      ８８…貫通孔
【図１】
2014047958.tif 000003
【図２】
2014047958.tif 000004
【図３】
2014047958.tif 000005
【図４】
2014047958.tif 000006
【図５】
2014047958.tif 000007
【図６】
2014047958.tif 000008
【図７】
2014047958.tif 000009
【図８】
2014047958.tif 000010
【図９】
2014047958.tif 000011
【図１０】
2014047958.tif 000012